(57)【要約】【課題】ＩＣカード内に複数のエリアを設けて、電子マネー情報と共にポイント情報、サービス内容の情報を記憶させて、プレミアムサービスを客に対して実施する。【解決手段】ＩＣカード１内に格納された金額情報を取引額によって更新することによって商取引を行うＩＣカード自動取引端末装置において、入力手段１０と、第１の残高額３および第２の残高額４を記憶する前記ＩＣカード１内の情報の読み取りと書き込みを行うＩＣカード読み書き手段９と、第１の残高額３および第２の残高額４の一方または双方をＩＣカード１から読み取り、入力手段１０からの指示によって特定された第１の残高額および第２の残高額の一方または双方から入力手段から入力された取引額を減額して、ＩＣカード１内の特定された残高額を更新する制御手段とを設けた。【選択図】図１
2006079641.tif 000002
【特許請求の範囲】
【請求項１】
ＩＣカード内に格納された金額情報を取引額によって更新することによって商取引を行うＩＣカード自動取引端末装置であって、
取引に関する指示を入力する入力手段と、
第１の残高額および第２の残高額を記憶する前記ＩＣカード内の情報の読み取りと書き込みを行うＩＣカード読み書き手段と、
前記ＩＣカード読み書き手段を制御して、前記第１の残高額および第２の残高額の一方または双方を前記ＩＣカードから読み取り、前記入力手段からの指示によって特定された前記第１の残高額および第２の残高額の一方または双方から前記入力手段から入力された取引額を減額して、前記ＩＣカード内の前記特定された残高額を更新する制御手段と、を設けたＩＣカード自動取引端末装置において、
前記第１の残高額および前記第２の残高額はともに金額残高額であり、
前記制御手段は、前記ＩＣカード内の前記第１の残高額の更新時のみ、登録された暗証番号によって前記更新のロックを行う
ことを特徴とするＩＣカード自動取引端末装置。
【請求項２】
請求項１において、
前記第１の残高額および前記第２の残高額はともに金額残高額であり、
前記制御手段は、前記ＩＣカード内の前記第１の残高額の更新時のみ、前記取引額とあらかじめ設定された上限金額値とで金額の大小関係を比較し、前記取引額が前記上限金額値よりも小さい場合にのみ前記更新を行う
ことを特徴とするＩＣカード自動取引端末装置。
【請求項３】
請求項２において、
前記上限値は前記ＩＣカード内に格納されており、
前記制御手段は、前記上限金額値を前記ＩＣカードから読み出して比較を行う  ことを特徴とするＩＣカード自動取引端末装置。
【請求項４】
請求項１において、
前記第１の残高額および前記第２の残高額はともに金額残高額であり、
前記制御手段は、前記取引額が上限金額値以上の場合は前記第１の残高額から前記取引額の減額を行い、前記取引額が上限金額値以下の場合は前記第２の残高額から前記取引額の減額を行う
ことを特徴とするＩＣカード自動取引端末装置。
【請求項５】
請求項４において、
前記上限金額値は前記ＩＣカード内に格納されており、
前記制御手段は、前記上限金額値を前記ＩＣカードから読み出して比較を行う  ことを特徴とするＩＣカード自動取引端末装置。
【請求項６】
請求項１において、
前記ＩＣカード自動取引端末装置に外部との回線を接続する回線制御部を設け、
前記制御手段は、前記入力手段及び前記回線制御部からの指示に従って前記ＩＣカード内の第１の残高額および前記第２の残高額の一方または双方を増額する  ことを特徴とするＩＣカード自動取引端末装置。
【請求項７】
請求項６において、
前記制御手段は、前記ＩＣカード内の第１の残高額および前記第２の残高額の一方または双方を増額する際に、まず始めに前記第１の残高額を増額し、前記第１の残高額が所定の上限金額と等しくなれば、次に前記第２の残高額を増額することを特徴とするＩＣカード自動取引端末装置。
【請求項８】
金額情報をＩＣカードに格納し、端末装置に挿入して前記金額情報を更新させることによって商取引を行うＩＣカードであって、
第１の残高額を格納する第１の記憶部と、
第２の残高額を格納する第２の記憶部と、
前記端末装置からの指示によって前記第１及び前記第２の記憶部に格納された前記第１及び第２の残高額を更新する制御手段と、を設けたＩＣカードにおいて、
前記第１の残高額および前記第２の残高額はともに金額残高額であることを特徴とするＩＣカード。
【請求項９】
請求項８において、
前記第１または第２の記憶部は、前記第１または第２の残高額の減額を行う際の上限値を記憶することを特徴とするＩＣカード。
【請求項１０】
ＩＣカード内に格納された金額情報を取引額によって更新することによって商取引を行うＩＣカード自動取引端末装置であって、
取引に関する指示を入力する入力手段と、
第１の残高額および第２の残高額を記憶する前記ＩＣカード内の情報の読み取りと書き込みを行うＩＣカード読み書き手段と、
前記ＩＣカード読み書き手段を制御して、前記第１の残高額および第２の残高額の一方または双方を前記ＩＣカードから読み取り、前記入力手段からの指示によって特定された前記第１の残高額および第２の残高額の一方または双方から前記入力手段から入力された取引額を減額して、前記ＩＣカード内の前記特定された残高額を更新する制御手段とを設けたＩＣカード自動取引端末装置において、
前記第１の残高額は金額残高額であり、前記第２の残高額は各取引媒体が付与するポイント残高額及びサービス内容を示す情報であることを特徴とするＩＣカード自動取引端末装置。
【請求項１１】
請求項１０において、
前記制御手段は、前記金額残高額の更新があった際に、前記ＩＣカードから読み取られた前記ポイント残高額に前記取引額に相当するポイント値を増額して、前記ＩＣカード内の前記ポイント残高額を更新することを特徴とするＩＣカード自動取引端末装置。
【請求項１２】
請求項１０において、
前記制御手段は、前記サービス内容を示す情報に応じて前記取引額に相当するポイント値を変えることを特徴とするＩＣカード自動取引端末装置。
【請求項１３】
請求項１０において、
前記ＩＣカード自動取引端末装置に店番号を格納する店番号記憶手段を設け、  前記制御手段は、前記ＩＣカード内の前記ポイント残高額を更新するのに先立って、前記ＩＣカードに前記ポイント残高額に対応して格納された店番号を読み取り、前記読み取った店番号と前記店番号記憶手段に格納された店番号が一致した場合にのみ、前記ＩＣカード内の前記ポイント残高額を更新することを特徴とするＩＣカード自動取引端末装置。
【請求項１４】
請求項１０において、
前記ＩＣカード自動取引端末装置に店番号を格納する店番号記憶手段と顧客情報を記憶する顧客情報記憶手段とを設け、
前記制御手段は、前記ＩＣカード内の前記ポイント残高額を更新するのに先立って、前記ＩＣカードに前記ポイント残高額に対応して格納された店番号を読み取り、前記読み取った店番号と前記店番号記憶手段に格納された店番号が一致した場合にのみ、前記記憶手段に記憶された情報に応じて、前記ＩＣカード内の前記ポイント残高額を更新するとともに、前記顧客情報記憶手段からの顧客情報に基づいて顧客毎の前記サービス内容を設定することを特徴とするＩＣカード自動取引端末装置。
【発明の詳細な説明】
【技術分野】
【０００１】
本発明は、電子財布システムを用いて商取引を行う際に、ＩＣカード内に電子マネー情報と共に各種サービス情報を持たせるようにした電子財布応用システムに関するものである。
【背景技術】
【０００２】
現在、家電量販店、ＣＤ販売店、ガソリンスタンド等では、店と契約を結んだ特定顧客に対して買い物の金額に応じた各種プレミアムサービスを行っている。特に、買い物金額によって店がポイント情報を発行し、このポイント情報に相当した金券や商品等を客にサービスする事が多く、この場合、磁気カードにポイント情報を記憶させるのが一般的である。
【０００３】
一方、特許文献１に記載されているように、ＩＣカードを使用した電子財布システムにより、商取引の完全なキャッシュレス化が検討されている。これは、ＩＣカードのメモリ内に任意に指定された金額情報を書き込み、精算時にはＩＣカードから必要な金額情報を送信することで、現金を用いずに商取引を完了させることができるシステムである。
【特許文献１】特開平３−９２９６６号公報
【発明の開示】
【発明が解決しようとする課題】
【０００４】
この電子財布システムによる商取引が実現した場合、客はＩＣカードを１枚持つだけで日常の買い物が可能となる。また、この場合も、店が客に対して各種プレミアムサービスを行うことが予想されるが、ポイント情報を記憶させる媒体として従来のように磁気カードを用いると、支払いの際にＩＣカードと磁気カードの２枚が必要となる。
【課題を解決するための手段】
【０００５】
上記目的を達成するために、本発明では、電子マネー情報とポイント情報を格納するＩＣカードと、前記ＩＣカードの情報を読み取り、書き込みを行うＩＣカード読み書き手段と、前記ＩＣカードの装着及び排出を制御するＩＣカード制御手段と、取引金額情報を入力する入力手段と、前記取引金額情報に相当する電子マネー情報を格納する売上金額情報記憶手段とを有する自動取引端末装置から構成する。
【０００６】
そして、商取引時には、前記ＩＣカード読み書き手段によって前記ＩＣカードから前記取引金額情報に相当する電子マネーを減額して、前記売上金額情報記憶手段に格納する。また、商取引時には前記取引金額情報に相当したポイント情報を前記ＩＣカード読み書き手段によって前記ＩＣカードに格納する。
【０００７】
本発明では、電子財布システムによる商取引で店が各種プレミアムサービスを行う際に、ＩＣカード内に金額情報と共にポイント情報を記憶させることにより、１枚のＩＣカードのみで金額の支払い及びポイント情報の管理を可能にすることができる。ここで、ＩＣカードに記憶されるポイント情報は、買い物金額に応じて店から発行されるが、店側はこのポイント情報に相当した金券や商品等をプレミアムサービスとして客に還元する事が可能となる。
【０００８】
また、上記システムでは、ＩＣカード内の複数のエリアに金額情報とポイント情報を分けて記憶させたが、複数のエリアに金額情報を分けて記憶させることも可能である。この場合、例えば一方のエリアの金額情報を低額の支払いに用いて、他方のエリアの金額情報を高額の支払いに用いる。また、低額の支払い用のエリアは常時支払い可能として、高額の支払い用のエリアは常時暗証番号によりロックをかける。その結果、日常の低額の支払いは自由に行えるが、高額の支払い時にのみ暗証番号の入力が必要となるので、１枚のＩＣカードで通常の使い勝手とＩＣカードを紛失した際のセキュリティ確保の両面を満たすことが可能となる。
【発明の効果】
【０００９】
本発明では、電子財布システムによる商取引で店が各種プレミアムサービスを行う際に、ＩＣカード内に金額情報と共にポイント情報やサービス内容情報を記憶させることにより、１枚のＩＣカードのみで金額の支払い及びポイント情報、サービス内容の管理を可能にすることができる。
【００１０】
また、上記システムでは、ＩＣカード内の複数のエリアに金額情報とポイント情報を分けて記憶させたが、複数のエリアに金額情報を分けて記憶させることも可能である。この場合、一方のエリアの金額情報を低額の支払いに用いて、他方のエリアの金額情報を高額の支払いに用いることにする。また、低額の支払い用のエリアは常時支払い可能として、高額の支払い用のエリアは常時暗証番号によりロックをかけることにより、１枚のＩＣカードで通常の使い勝手とＩＣカードを紛失した際のセキュリティ確保の両面を満たすことが可能となる。
【発明を実施するための最良の形態】
【００１１】
以下、本発明の実施形態を図１〜図１３を用いて説明する。
【００１２】
図１は、本発明による電子財布システムのブロック図の一例を示す。これは、買い物金額に応じて店が発行するポイント情報を金額情報と共にＩＣカードに記憶させるシステムであり、店に顔なじみの特定顧客に対してポイント情報に相当したプレミアムサービスを行うことが可能となる。本実施形態では、客がポイント情報に相当した金額の買い物ができるシステムを例にして説明する。
【００１３】
１はＩＣカード、２は個人のパスワード等を記憶するＩＤ番号記憶部、３は電子マネーの残金を記憶する金額情報記憶部、４は店が発行したポイント情報を記憶するポイント情報記憶部、５は演算処理部、６は接続部、７はＰＯＳ端末本体、８はカード制御部、９はカード読み書き部、１０は入力部、１１は表示部、１２は演算処理部、１３は売上金額記憶部、１４は回線制御部、２３は店番号記憶部である。
【００１４】
ここで、図２にはポイント情報記憶部４の一例を示す。この場合、１枚のＩＣカードで複数の店が同時にポイント情報によるプレミアムサービスを行うことができるようにするために、店ごとにあらかじめ店番号を割り当てて、その店番号毎に買い物をした日付、買い物金額に応じたポイント情報、ポイント情報の合計を記憶させる。ここで、ポイント情報により買い物を行った場合は、ポイント情報記憶部４から使用したポイント情報がマイナスされる。
【００１５】
なお、このポイント情報を記憶させるためには、客はあらかじめ店と規約を結ぶ必要があり、その際、ＩＣカードに店番号を登録する。また、コンビニエンスストアなどのようなチェーン店の場合は、同一の店番号を各店で使用することにより、同一の店番号にポイントが加算されてチェーン店全体でプレミアムサービスを行うことが可能となる。
【００１６】
上記ＩＤ番号記憶部２、金額情報記憶部３、ポイント情報記憶部４の各情報は、演算処理部５で処理され、また、接続部６を介してＩＣカード外部のＰＯＳ端末等と情報のやり取りを行う。
【００１７】
ＰＯＳ端末７では商品の金額を入力部１０により端末に入力し、入力された金額等が表示部１１に表示される。また、カード読み書き部９を介してＰＯＳ端末に送られた電子マネー情報は、売上金額記憶部１３に記憶されると共に回線制御部１４を介して銀行にアクセスされるため、一日の売上金額を電話回線を通して銀行に送金することができる。
【００１８】
次に図３を用いて、買い物の際の金額の精算、ポイント情報の処理に関して説明する。店での支払いの際に客がＰＯＳ端末にＩＣカードを挿入して（Ｓ１０２）、、買い物の金額を店員が集計すると（Ｓ１０３）、合計金額が表示部１１に表示される（Ｓ１０４）。その後、ＩＣカード内のポイント情報記憶部４内の店番号が全て読み取られて（Ｓ１０５）、ＰＯＳ内の店番号記憶部２３に格納された店番号がＩＣカード内に登録されているかどうかを演算処理部５が判断する（Ｓ１０６）。
【００１９】
始めに、店番号が登録されている場合について説明する。この場合、買い物をした客は店にとっての特定顧客であるため、ＩＣカード内のポイント情報に相当したプレミアムサービスを受けることができる。ＩＣカード内のポイント情報がＰＯＳ端末のカード読み書き部により読み取られると（Ｓ１０７）、このポイント情報を使用して買い物をするかどうかの判断を客が行う（Ｓ１０８）。
【００２０】
ポイント情報で支払う場合、上記買い物金額の合計からポイント情報で支払う分が差し引かれる（Ｓ１０９）。ここで、ポイント情報で買い物金額の全額を支払う場合は、電子マネーでの清算は行われないため、使用したポイント情報がマイナスされてＩＣカードのポイント情報記憶部のみが更新される（Ｓ１１４）。
【００２１】
一方、ポイント情報と電子マネーで買い物金額の支払いを行う場合、金額情報記憶部３に記憶されている電子マネーの残高が読み取られる（Ｓ１１１）。そして、ポイント情報による支払いを行った後の買い物金額の残金が電子マネーで支払い可能かどうかの判断を演算処理部５が行う（Ｓ１１２）。支払いが可能な場合は、電子マネーによる残りの支払い分がＩＣカードから抜かれて、金額情報記憶部３が更新される（Ｓ１１３）と共に、ポイント情報記憶部４も更新される（Ｓ１１４）。また、電子マネーによる支払いが不可能な場合は、ＩＣカードの残高が不足している旨が表示部１１に示された後に（Ｓ１１５）、ＩＣカードがＰＯＳ端末から排出されるため（Ｓ１１７）、取引が中止される（Ｓ１１８）。
【００２２】
なお、ポイント情報で支払いを行わない場合は、買い物金額の全額が電子マネーによる支払いとなるが、この場合も、上記同様にまずＩＣカードの電子マネーの残高が読み取られ（Ｓ１１９）、その後、電子マネーの残高が不足している場合は取引きは中止となり、また、支払い可能な場合は買い物金額分がＩＣカードから抜かれて、金額情報記憶部３が更新される（Ｓ１２１）。
【００２３】
以上のように、ＩＣカードに店番号が登録されている場合は、ＩＣカード内のポイント情報及び電子マネーを用いて買い物金額の支払いを行い、支払い完了後にＰＯＳ端末の売上金額記憶部１３が更新される（Ｓ１１６）と共にＩＣカードが排出されて（Ｓ１１７）処理が終了する（Ｓ１１８）。
【００２４】
次に、店番号が登録されていない場合について説明する。この場合、買い物金額は電子マネーのみによる支払いとなる。まず、金額情報記憶部３に記憶されている電子マネーの残高が読み取られる（Ｓ１１９）。そして、買い物金額が電子マネーで支払い可能かどうかの判断を演算処理部５が行う（Ｓ１２０）。支払いが可能な場合は、買い物金額分の電子マネーがＩＣカードから抜かれて金額情報記憶部３が更新された後に（Ｓ１２１）、ＩＣカードが排出されて（Ｓ１１７）処理が終了する（Ｓ１１８）。
【００２５】
一方、電子マネーによる支払いが不可能な場合は、ＩＣカードの残高が不足している旨が表示部１１に示された後に（Ｓ１１５）、ＩＣカードがＰＯＳ端末から排出されるため（Ｓ１１７）、取引が中止される（Ｓ１１８）。
【００２６】
以上、ＩＣカードに買い物金額に応じたポイント情報を記憶させるシステムについて説明した。本システムでは、店に顔なじみの特定顧客に買い物の金額に応じてプレミアムサービスを行うことが可能であり、上記ポイント情報を電子マネーと同一のＩＣカードに記憶させることにより、１枚のＩＣカードで対応することができる。なお、本システムではＩＣカード１にのみポイント情報を記憶させたが、ＰＯＳ端末７とＩＣカード１の両方にポイント情報を記憶させても良い。
【００２７】
ここで、ＩＣカードへのポイント情報の書き込みについてさらに説明する。上記実施形態では、プレミアムサービスとしてポイント情報に相当した金額の買い物ができるが、ポイント情報を改ざんすると不正に買い物を行うことができてしまう。そこで、ＰＯＳ端末には店番号を登録する店番号記憶部２３を設けて、ＩＣカードのポイント情報記憶部４に書き込みを行う際には、店番号が一致した端末のみポイント情報の書き込みができるように演算処理部５により制御を行う。その結果、その店以外ではポイント情報を更新することができないので、不正を防止することが可能である。
【００２８】
次に、図１２には本発明による電子財布システムのブロック図の他の１例を示す。２４は顧客情報記憶部である。図１に示す実施形態の場合、店番号を登録したＩＣカードを所有した顧客は、皆同一のプレミアムサービスを受けることになったが、図１２に示すようにＰＯＳ端末側にも顧客情報を記憶させることで、顧客毎にプレミアムサービスの内容を変えることが可能となる。そのため、店に登録をした後の一定期間は通常の２倍のポイントを付加するなどの特別サービスを容易に行うことができる。
【００２９】
なお、ＰＯＳ端末内に顧客情報を記憶させる代わりに、顧客のＩＣカード内にサービス内容を示す情報を格納し、店側はこの情報を読み取ってプレミアムサービスの内容を変えることも可能である。この場合、図１３に示すように、ＩＣカード内のポイント情報記憶部４に店番号に対応させてサービス内容を示す情報を格納する。そして、取引きの際にはサービス内容を示す情報を読み取り、例えばＡの場合は７％のポイント付加、Ｂの場合は５％のポイント付加というように読み取った情報に応じてサービスの内容を変えることで、顧客毎に異なるサービスを提供することが可能となる。
【００３０】
次に、図４には本発明による電子財布システムのブロック図の他の一例を示す。これは、１枚のＩＣカード内に複数の金額情報記憶部を持たせるシステムであり、この金額情報記憶部を高額支払い用と低額支払い用に分けて使用し、なおかつ、高額支払い用は通常は暗証番号でロックをかけるが低額支払い用は通常はロックをかけないこととする。そのため、たばこや電話料金などの低額の支払い時には暗証番号を入力する手間が省けるが、高額の支払い時には暗証番号が必要となるため、１枚のＩＣカードで通常の使い勝手とＩＣカードを紛失した際のセキュリティ確保の両面を満たすことが可能となる。
【００３１】
図４で１５はＩＤ番号記憶部Ａ、１６は金額情報記憶部Ａ、１７はＩＤ番号記憶部Ｂ、１８は金額情報記憶部Ｂである。ここで、金額情報記憶部Ａに記憶された電子マネーは低額支払い用に用いるが、金額情報記憶部Ｂに記憶された電子マネーは高額支払い用に用いるものとする。また、金額情報記憶部ＡはＩＤ番号記憶部Ａに登録された暗証番号でロックをかけるが、金額情報記憶部ＢはＩＤ番号記憶部Ｂに登録された暗証番号でロックをかけるものとする。
【００３２】
暗証番号でロックをかけた状態では、電子マネーでの支払い時にＩＣカードに登録された暗証番号の入力が要求され、暗証番号を正しく入力しないと電子マネーをＩＣカードから抜き取ることができない。そのため、ＩＣカード紛失時の不正使用を防ぐためには、通常は金額情報記憶部を暗証番号でロックしておくことが望ましいが、その場合、通常の支払いの度に暗証番号の入力が必要となり、使い勝手が悪くなる問題が生じる。
【００３３】
そこで、図４に示すように、１枚のＩＣカードに低額支払い用のポケットＡと高額支払い用のポケットＢを用意して、支払金額に応じてポケットＡとＢを切り替えて支払いを行う。以下、図５を用いて具体的な処理を説明する。
【００３４】
店での支払いの際に客がＰＯＳ端末にＩＣカードを挿入して（Ｓ２０２）、買い物の金額を店員が集計すると（Ｓ２０３）、合計金額が表示部１１に表示される（Ｓ２０４）。その後、カード読み書き部９により、ポケットＡの金額情報記憶部Ａに記憶された電子マネーの残高Ａが読み取られ（Ｓ２０５）、買い物金額の支払いが可能かどうかをＰＯＳ端末内の演算処理部１２が判断する（Ｓ２０６）。
【００３５】
この場合、残高Ａは低額の支払い用であるため、支払い可能な場合は金額情報記憶部Ａが更新され（Ｓ２０７）、かつ、ＰＯＳ端末の売上金額記憶部１３が更新される（Ｓ２１８）。一方、高額の支払いの場合は残高Ａでは残高不足となり支払いが出来ないため、ポケットＢの金額情報記憶部Ｂによる支払いに自動的に切り替わる。
【００３６】
通常、金額情報記憶部ＢはＩＤ番号記憶部Ｂに登録された暗証番号でロックをかけているため、ＩＤ番号入力を促す表示が表示部１１に示される（Ｓ２０８）。ここで、客が入力部１０により暗証番号を入力すると（Ｓ２０９）、ＩＤ番号記憶部Ｂに登録された暗証番号が読み取られて（Ｓ２１０）、入力部１０により入力した暗証番号と一致しているかどうかを演算処理部５が判断する（Ｓ２１１）。暗証番号が一致しない場合は、ＩＣカードが不正使用されている可能性があるため、ＩＣカードが排出されて（Ｓ２１９）取引きは中止される（Ｓ２２０）。一方、暗証番号が一致した場合は、金額情報記憶部Ｂに記憶された残高Ｂが読み取られ（Ｓ２１２）、買い物金額の支払いが可能かどうかを演算処理部５が判断する（Ｓ２１３）。
【００３７】
電子マネーによる支払いが可能な場合、金額情報記憶部Ｂのロックは解除されて（Ｓ２１４）、買い物金額分がＩＣカードから抜かれる。その後、金額情報記憶部Ｂの残高Ｂが更新された後に（Ｓ２１５）、上記暗証番号により自動的に金額情報記憶部Ｂにロックがかけられる（Ｓ２１６）。さらに、ＰＯＳ端末の売上金額記憶部１３が更新された後に（Ｓ２１８）、ＩＣカードが排出されて（Ｓ２１９）処理が終了する（Ｓ２２０）。
【００３８】
一方、支払いが不可能な場合は、残高Ｂが不足している旨が表示部１１に示された後に（Ｓ２１７）、ＩＣカードが排出されて（Ｓ２１９）取引が中止される（Ｓ２２０）。
【００３９】
以上、１枚のＩＣカード内に複数の金額情報記憶部を持たせるシステムについて説明したが、複数の金額情報記憶部を高額支払い用と低額支払い用に分けて使用し、なおかつ、高額支払い用は通常は暗証番号でロックをかけるが低額支払い用は通常はロックをかけないで使用することにより、１枚のＩＣカードで通常の使い勝手とＩＣカードを紛失した際のセキュリティ確保の両面を満たすことが可能となる。
【００４０】
ここで、本実施形態では、ＩＣカードの金額情報記憶部Ａに入金可能な金額に上限値を設けることにより、高額の支払い時には残高不足となり自動的に金額情報記憶部Ｂによる支払いに切り替わるシステムとした。しかしながら、図６に示すように、あらかじめ金額情報記憶部Ａでの支払いの上限金額を設けて、上限金額を越えた場合は金額情報記憶部Ｂによる支払いに自動的に切り替えても良い。なお、この場合も金額情報記憶部Ａには入金可能な金額に上限値を設けることで、図５および図６の実施形態共に、暗証番号を正しく入力しない限り上限値以上の電子マネーをＩＣカードから引き出すことはできない。
【００４１】
図７には、上記図５および図６の実施形態でＩＣカードへ電子マネーを入金する場合のフローの一例を示す。この場合、銀行のＡＴＭにＩＣカードを挿入するか、あるいは電話回線を介して銀行にアクセスすることにより、自分の口座からＩＣカードに送金することができる。ＩＣカードを挿入して（Ｓ４０２）、暗証番号を入力すると（Ｓ４０３）、暗証番号が表示される（Ｓ４０４）。次に、銀行の自分の口座から出金する金額を入力すると（Ｓ４０５）、その金額が表示される（Ｓ４０６）。
【００４２】
銀行側では、入力された暗証番号がＩＣカードに登録されたものと一致しているかどうかの確認を行い（Ｓ４０７）、一致しない場合はＩＣカードが不正利用されているものと判断するため、ＩＣカードを排出して（Ｓ４１７）、取引きを中止する。
【００４３】
一方、暗証番号が一致した場合は、銀行の口座から引き出す金額が残高不足を生じさせないかの判断を行い（Ｓ４０８）、引き出し可能な場合はＩＣカードの金額情報記憶部Ａの残高Ａを読み取る（Ｓ４０９）。また、引き出し不可能な場合は、銀行の口座が残高不足であることを表示して（Ｓ４１０）、取引きが中止される。
【００４４】
ここで、ＩＣカードの金額情報記憶部Ａには、入金可能な金額の上限値が定められているため、（上限値ー残高Ａ）を計算することで上限値まであといくら入金可能かを算出する（Ｓ４１１）。そして、金額情報記憶部Ａに入金可能な場合は残高Ａを更新し（Ｓ４１２）、その後、銀行から出金した金額の残金を計算する（Ｓ４１３）。ここで、残金が生じる場合は、この残金をＩＣカードの金額情報記憶部Ｂに入金した後に（Ｓ４１５）、銀行の口座を更新するが（Ｓ４１６）、残金が生じない場合はすぐに銀行の口座の更新を行う。
【００４５】
一方、金額情報記憶部Ａの残高Ａが上限値と等しい場合は、銀行から引き出した金額は全額金額情報記憶部Ｂに入金される（Ｓ４１５）。
【００４６】
以上により、金額情報記憶部Ａには上限値以上に電子マネーを入金することができず、残りは自動的に金額情報記憶部Ｂに入金される。
【００４７】
なお、図４に示す実施形態では、１枚のＩＣカードに複数のＩＤ番号記憶部を持たせたが、ＩＤ番号記憶部を１個のみ持たせて、この記憶部に格納する暗証番号を用いて高額支払い用の金額情報記憶部のロック解除を行うようにしてもよい。また、本実施形態では、ＩＣカードに高額用と低額用の２つの金額情報記憶部を持たせたが、２つ以上の金額情報記憶部を持たせて自動あるいは手動で切り替えて支払いを行うようにしても良い。
【００４８】
上記実施形態では、複数の金額情報記憶部をＩＣカードに持たせることにより、高額支払い用と低額支払い用のフローに切り替えたが、図８に示すように、ＩＣカードの金額情報記憶部は１個のみとして、引き出す金額に応じて暗証番号の入力を要求するようにしてもよい。しかしながら、この場合、低額の引き出しはＩＣカードの残高がなくなるまで自由に行えるため、不正使用時にはＩＣカードから残高全額を引き出されてしまう。そこで、一定回数Ｎの引き出しを行うと自動的に暗証番号の入力を要求するようにして、セキュリティを確保することも可能である。以下、図９を用いて詳細を説明する。ここで、２２はＩＣカードへのアクセス回数を記憶するアクセス回数記憶部である。
【００４９】
店での支払いの際に客がＰＯＳ端末にＩＣカードを挿入して（Ｓ５０２）、買い物の金額を店員が集計すると（Ｓ５０３）、買い物の合計金額が表示される（Ｓ５０４）。その後、ＩＣカードのアクセス回数記憶部２２に記憶されたＩＣカードへのアクセス回数がカード読み書き部により読み取られる（Ｓ５０５）。
【００５０】
このアクセス回数が一定回数Ｎに達すると自動的にＩＤ番号の入力に切り替わるが（Ｓ５０９）、アクセス回数が一定回数Ｎより小さい場合は、買い物金額があらかじめ定められた上限値以上の場合にのみ（Ｓ５０８）、ＩＤ番号の入力が必要となる。なお、アクセス回数が一定回数Ｎに達した場合は、ＩＣカードのアクセス回数記憶部２２がリセットされて（Ｓ５０７）、初期値に戻る。
【００５１】
ここで、入力したＩＤ番号とＩＣカードに登録されたＩＤ番号が一致した場合は（Ｓ５１２）、ＩＣカードの残高が読み取られるが（Ｓ５１３）、一致しない場合はアクセス回数を更新後に（Ｓ５１８）、ＩＣカードが排出されて（Ｓ５１９）、処理が中止される（Ｓ５２０）。
【００５２】
ＩＣカードの残高が読み取られると、買い物金額の支払いがＩＣカードの残高で可能かどうかの確認が行われる（Ｓ５１４）。支払い可能な場合は、残高が更新された後に（Ｓ５１５）、ＰＯＳ端末の売上金額記憶部が更新される（Ｓ５１７）。また、アクセス回数を更新後にＩＣカードが排出されて処理が終了する。一方、支払いが不可能な場合は、残高不足の表示後に（Ｓ５１６）、ＩＣカードが排出されて処理が中止される。
【００５３】
以上により、ＩＣカードの金額情報記憶部は１個のみとして、引き出す金額に応じて暗証番号の入力を要求することも可能である。また、この場合は、ＩＣカードへのアクセス回数が一定回数に達した段階で暗証番号の入力を要求することで、不正使用時に制限をかけることができる。
【００５４】
なお、上記図４〜図７に示す実施形態では、複数の金額情報記憶部を高額及び低額の支払い用に分けて使用したが、支払いの用途毎に分けて使用しても良い。例えば、会社員では業務で使用するお金と私的に使うお金を分けて１枚のＩＣカードに持ち、支払い時に用途に合わせて切り替えて使用することにより、出張時の金銭の精算を簡略化することができる。例えば、図１１にフローを示すように、ポケットＡに会社の業務で使用する公金を格納して、また、ポケットＢには私的に使うお金を格納し、電子マネーを使用する際に使用者が切り替えることで容易に実現可能である。
【００５５】
また、複数の金額情報記憶部に例えば特定の鉄道会社への支払い専用の金額情報記憶部などを設けることも可能である。この場合、専用の金額情報記憶部には一定のプレミアム分を増額することにより、使用者にサービスを行うこともできる。
【００５６】
次に、図１０には、本発明による電子財布システムのブロック図のその他の一例を示す。これは、１枚のＩＣカード内に金額情報と共に住所や電話番号などの個人情報を記憶させるシステムであり、本実施形態では宅配便などに住所を記入する際に使用する場合を例に説明する。
【００５７】
図１０で１９は個人情報記憶部であり、名前、住所、電話番号などを記憶させる。また、２０は印刷部であり、宅配便の送り状に上記個人情報を印刷する際に使用する。ここで、２１は個人情報の印刷機能を内蔵したＰＯＳ端末である。
【００５８】
客が宅配便の配達を依頼する場合は、店員にＩＣカードを渡して金額情報記憶部３に記憶された電子マネーにより決済を行う。ここで、個人情報記憶部１９に記憶された個人情報を読み取ることにより、印刷部２０で自動的に送り状の依頼主欄に住所、名前などを記載することができる。この場合、届け主欄は手書きで記入するが、個人情報記憶部３に届け主の情報も記憶させれば、届け主欄を自動的に記載することも可能である。
【図面の簡単な説明】
【００５９】
【図１】本発明による電子財布応用システムのブロック図である。
【図２】本発明による電子財布応用システムでのポイント情報記憶部である。
【図３】本発明による電子財布応用システムでのフローチャートである。
【図４】本発明による電子財布応用システムの他の一例によるブロック図である。
【図５】本発明による電子財布応用システムでの他の一例によるフローチャートである。
【図６】本発明による電子財布応用システムでの他の一例によるフローチャートである。
【図７】本発明による電子財布応用システムでのＩＣカードへの電子マネーの入金の際のフローチャートである。
【図８】本発明による電子財布応用システムの他の一例によるブロック図である。
【図９】本発明による電子財布応用システムでの他の一例によるフローチャートである。
【図１０】本発明による電子財布応用システムの他の一例によるブロック図である。
【図１１】本発明による電子財布応用システムでの他の一例によるフローチャートである。
【図１２】本発明による電子財布応用システムの他の一例によるブロック図である。
【図１３】本発明による電子財布応用システムでの他の一例によるポイント情報記憶部である。
【符号の説明】
【００６０】
１  ＩＣカード
２  ＩＤ番号記憶部
３  金額情報記憶部
４  ポイント情報記憶部
５  演算処理部
６  接続部
７  ＰＯＳ端末
８  カード制御部
９  カード読み書き部
１０  入力部
１１  表示部
１２  演算処理部
１３  売上金額記憶部
１４  回線制御部
１５，１６  ＩＤ番号記憶部
１７，１８  ＩＤ番号記憶部
１９  個人情報記憶部
２０  印刷部
２１  ＰＯＳ端末
２２  アクセス回数記憶部
２３  店番号記憶部
２４  顧客情報記憶部
【図１】
2006079641.tif 000003
【図２】
2006079641.tif 000004
【図３】
2006079641.tif 000005
【図４】
2006079641.tif 000006
【図５】
2006079641.tif 000007
【図６】
2006079641.tif 000008
【図７】
2006079641.tif 000009
【図８】
2006079641.tif 000010
【図９】
2006079641.tif 000011
【図１０】
2006079641.tif 000012
【図１１】
2006079641.tif 000013
【図１２】
2006079641.tif 000014
【図１３】
2006079641.tif 000015
【手続補正書】
【提出日】平成17年11月21日(2005.11.21)
【手続補正１】
【補正対象書類名】特許請求の範囲
【補正対象項目名】全文
【補正方法】変更
【補正の内容】
【特許請求の範囲】
【請求項１】
ＩＣカード内に格納された金額情報を取引額によって更新することによって商取引を行うＩＣカード自動取引端末装置において、
取引に関する指示を入力する入力手段と、
第１の残高額および第２の残高額を記憶する前記ＩＣカード内の情報の読み取りと書き込みを行うＩＣカード読み書き手段と、  
前記ＩＣカード読み書き手段を制御して、前記第１の残高額および第２の残高額の一方または双方を前記ＩＣカードから読み取り、前記入力手段からの指示によって特定された前記第１の残高額および第２の残高額の一方または双方から前記入力手段から入力された取引額を減額して、前記ＩＣカード内の前記特定された残高額を更新する制御手段と、を有し、
前記第１の残高額および前記第２の残高額はともに金額残高額であり、
前記制御手段は、前記ＩＣカード内の前記第１の残高額の更新時のみ、登録された暗証番号によって前記更新のロックを行うことを特徴とする１Ｃカード自動取引端末装置。
【請求項２】
前記ＩＣカード内には、前記ＩＣカード読み書き手投からの指示のもとにＩＣカード内に記憶される第１の残高額および第２の残高額の更新を行う演算処理部を有することを特徴とする請求項１に記載のＩＣカード自動取引端末装置。
【請求項３】
ＩＣカード内に格納された金額情報を取引額によって更新することによって商取引を行うＩＣカード自動取引端末盤置において、
取引に関する指示を入力する入力手段と、
第１の残高額および第２の残高額を記憶する前記ＩＣカード内の情報の読み取りと書き込みを行うＩＣカード読み書き手段と、
前記ＩＣカード読み書き手段を制御して、前記第１の残高額および第２の残高額の一方または双方を前記ＩＣカードから読み取り、前記入力手段からの指示によって特定された前記第１の残高額および第２の残高額の一方または双方から前記入力手段から入力された取引額を減額して、前記ＩＣカード内の前記特定された残高額を更新する制御手段と、を有し、
前記第１の残高額および前記第２の残高額はともに金額残高額であり、
前記制御手段は、前記ＩＣカード内の前記第１の残高額の更新時のみ、前記取引額とあらかじめ設定された上限金額値とで金額の大小関係を比較し、前記取引額が前記上限金額値よりも小さい場合にのみ前記更新を行うことを特徴とするＩＣカード自動取引端末装置。
【請求項４】
前記ＩＣカード内には、前記ＩＣカード流み書き手段からの指示のもとにＩＣカード内に記憶される第１の残高額および第２の残高額の更新を行う演算処理部を有することを特徴とする請求項３に記載のＩＣカード自動取引端末装置。
【請求項５】
前記上限値は前記ＩＣカード内に格納されており、
前記制御手段は、前記上限金額値を前記ＩＣカードから読み出して比較を行うことを特徴とする請求項４に記載のＩＣカード自動取引端末装置。
【請求項６】
ＩＣカード内に格納された金額情報を取引額によって更新することによって商取引を行うＩＣカード自動取引端末装置において、
取引に関する指示を入力する入力手殴と、
第１の残高額および第２の残高額を記憶する前記ＩＣカード内の情報の流み取りと書き込みを行うＩＣカード読み書き手段と、
前記ＩＣカード読み書き手段を制御して、前記第１の残高額および第２の残高額の一方または双方を前記ＩＣカードから読み取り、前記入力手段からの指示によって特定された前記第１の残高額および第２の残高額の一方または双方から前記入力手段から入力された取引額を減額して、前記ＩＣカード内の前記特定された残高額を更新する制御手段と、を有し、
前記第１の残高額および前記第２の残高額はともに金額残高額であり、
前記制御手段は、前記取引額があらかじめ設定された上限金額値以上の場合は前記第１の残高額から前記取引額の減額を行い、前記取引額が前記上限金額値以下の場合は前記第２の残高額から前記取引額の減額を行うことを特徴とするＩＣカード自動取引端末装置。
【請求項７】
前記ＩＣカード内には、前記ＩＣカード読み書き手段からの指示のもとにＩＣカード内に記憶される第１の残高額および第２の残高額の更新を行う演算処理部を有することを特徴とする請求項６に記載のＩＣカード自動取引端末装置。
【請求項８】
前記上限金額値は前記ＩＣカード内に格納されており、
前記制御手段は、前記上限金額値を前記ＩＣカードから読み出して比較を行うことを特徴とする請求項７に記載のＩＣカード自動取引端末装置。
【請求項９】
ＩＣカード内に格納された金額情報を取引額によって更新することによって商取引を行うＩＣカード自動取引端末装置において、
取引に関する指示を入力する入力手段と、
第１の残高額および第２の残高額を記憶する前記ＩＣカード内の情報の読み取りと書き込みを行うＩＣカード読み書き手段と、                                      、
前記ＩＣカード読み書き手段を制御して、前記第１の残高額および第２の残高額の一方または双方を前記ＩＣカードから読み取り、前記入力手段からの指示によって特定された前記第１の残高額および第２の残高額の一方または双方から前記入力手段から入力された取引額を減額して、前記ＩＣカード内の前記特定された残高額を更新する制御手段と、を有し、
前記ＩＣカード自動取引端末装置に外部との回線を接続する回線制御部を設け、
前記制御手段は、前記入力手段及び前記回線制御部からの指示に従って前記ＩＣカード内の第１の残高額および前記第２の残高額の一方または双方を増額することを特徴とするＩＣカード自動取引端末装置。
【請求項１０】
前記制御手段は、前記ＩＣカード内の第１の残高額および前記第２の残高額の一方または双方を増額する際に、まず始めに前記第１の残高額を増額し、前記第１の残高額があらかじめ設定された上限金額値と等しくなれば、次に前記第２の残高額を増額することを特徴とする請求項９に記載のＩＣカード自動取引端末装置。
【請求項１１】
金額情報をＩＣカードに格納し、端末装置に挿入して前記金額情報を更新させることによって商取引を行うＩＣカードにおいて、
第１の残高額を格納する第１の記憶部と、
第２の残高額を格納する第２の記憶部と、
前記第１の残高額および第２の残高額の更新を行う演算処理部とを有し、
前記第１の残高額および前記第２の残高額はともに金額残高額であり、
前記端末装置からの指示によって前記演算処理部により前記第１または前記第２の記憶部に格納された前記第１または第２の残高額の更新を行う際の上限値を記憶することを特徴とするＩＣカード。
【請求項１２】
金額情報をＩＣカードに格納し、端末装置に押入して前記金額情報を更新させることによって商取引を行うＩＣカードにおいて、
第１の残高額を格納する第１の記憶部と、
第２の残高額を格納する第２の記憶部と、
前記第１の残高額および第２の残高額の更新を行う演算処理部とを有し、
前記第１の残高額および前記第２の残高額はともに金額残高額であり、
前記演算処理部は、前記ＩＣカード内の前記第１の残高額の更新時のみ、登録された暗証番号によって前記更新のロックを行うことを特徴とするＩＣカード。
【請求項１３】
金額情報をＩＣカードに格納し、端末装置に挿入して前記金額情報を更新させることによって商取引を行うＩＣカードにおいて、
第１の残高額を格納する第１の記憶部と、
第２の残高額を格納する第２の記憶部と、
前記第１の残高額および第２の残高額の更新を行う演算処理部とを有し、
前記第１の残高額および前記第２の残高額はともに金額残高額であり、
前記端末装置からの指示によって前記演算処理部は、前記取引額があらかじめ設定された上限金額値以上の場合は前記第１の残高額から前記取引額の減額を行い、前記取引額が前記上限金額値以下の場合は前記第２の残高額から前記取引額の減額を行うことを特徴とするＩＣカード。